(57)【特許請求の範囲】
【請求項１】
フード本体生地の一部が、複数の孔を有する有孔生地から構成され、有孔生地を覆うフラシ生地の端部の一部領域が前記フード本体に縫着部を介して縫着され、該フード本体および前記フラシ生地は表面に水浸入防止処理が施され、裏面に編み生地または織り生地が施されたフードであって、
前記縫着部から浸入した水を有孔生地に形成された孔を回避するよう上方から下方へ誘導する誘導部材が、有孔生地の端部に沿って設けられ、
前記誘導部材は、縫着部と有孔生地との間を繋ぐ繋ぎ生地から構成され、該繋ぎ生地は、一端部が前記縫着部に重ねて縫着され、他端部に縫着部側に突出するよう生地が重ねられて、該他端部が有孔生地の縁部に沿って縫着されることで、有孔生地の縁部側で水の誘導路を形成するよう構成されていることを特徴とするフード。
【請求項２】
フード本体生地の一部が、複数の孔を有する有孔生地から構成され、有孔生地を覆うフラシ生地の端部の一部領域が前記フード本体に縫着部を介して縫着され、該フード本体および前記フラシ生地は表面に水浸入防止処理が施され、裏面に編み生地または織り生地が施されたフードであって、
前記縫着部から浸入した水を、有孔生地に形成された孔を回避するよう、上方から下方へ誘導する誘導部材が、有孔生地の端部に沿って設けられ、
前記誘導部材は、縫着部と有孔生地との間を繋ぐ繋ぎ生地と、管状体とから構成され、前記繋ぎ生地は、一端部が前記縫着部に重ねて縫着され、他端部が有孔生地の縁部に沿って縫着され、管状体は繋ぎ生地の他端部側で該繋ぎ生地との間に水の誘導路を形成するよう有孔生地の縁部に沿って設けられていることを特徴とするフード。
【請求項３】
有孔生地は、使用者が頭部に装着した状態で該使用者の耳に対応する吸音用領域を構成する生地、および使用者が頭部に装着した際の空気逃がし用領域を構成する生地のうちの、少なくとも一方の生地であることを特徴とする請求項１または請求項２の何れか１項に記載のフード。
【請求項４】
請求項１ないし請求項３に記載の何れかのフードが備えられていることを特徴とする衣服。
【発明の詳細な説明】
【技術分野】
【０００１】
本発明は、釣行に着用するレインスーツなどの衣服に備えつけられるフード、およびフードを備えた衣服に関する。
【背景技術】
【０００２】
この種の衣服に装着されるフードとして、例えば特許文献１に示すものが提案されている。一般にフードは、生地どうしを縫着することでフード本体が形成されている。また生地の表面には、防水処理や撥水処理が施され、裏面は感触の向上のために編みまたは織り生地とされる場合がある。そして、生地どうしの縫着部分からは雨水等の水が浸入し易いから、縫着部分の裏側に止水テープ（シームテープ）を貼着して、水の浸入を抑制することが行われる。
ところでフードは使用者の頭部を覆うものであるから、フードを被ると周囲の音が聞こえにくくなる。このため、フード本体において使用者の耳に相当する領域に開口（例えば吸音用の複数の孔）を形成する場合があり、このような場合では開口から水が浸入しないように、開口を覆うフラシをフード本体に縫着する。なお、フラシは開口から吸音し易いように、使用者のフード装着状態において下部は縫着されずに開放されている。
【０００３】
また、フード本体において例えばその後頭上部に、フード内に侵入してくる空気を外部へ逃がすための、開口（複数の孔）を形成する場合もある。
【先行技術文献】
【特許文献】
【０００４】
【特許文献１】特開２００３−２７３２０号公報
【発明の概要】
【発明が解決しようとする課題】
【０００５】
しかしながら、生地の表面に防水処理や撥水処理が施され裏面が編みまたは織り生地から形成されているフラシの生地を、その表面が表側になるようにフード本体に縫着すると、その縫着部分に現れているのは、フード本体の開口の周辺では生地の表面であり、フラシの裏側では生地の裏面となる。そして、フラシ（フラシの生地）の裏側には止水テープを貼ることはできるが、防水処理等を施しているゆえに開口の周辺の表面には止水テープを貼ることができない。あるいは貼っても剥がれてしまう。このためフードにおけるフラシの縫着部分から水が浸入し、その水が開口から使用者の耳側へ向けて浸入してしまうという課題があった。
【０００６】
そこで本発明は上記課題に鑑み、フードにおけるフラシの縫着部分に止水テープが貼れなくても、フード本体の開口形成領域に形成された開口から水が浸入するのを抑制し得るフード、およびそのフードを備える衣服の提供を目的とする。
【課題を解決するための手段】
【０００７】
本発明は、フード本体生地の一部が、複数の孔を有する有孔生地から構成され、有孔生地を覆うフラシ生地の端部の一部領域が前記フード本体に縫着部を介して縫着され、該フード本体および前記フラシ生地は表面に水浸入防止処理が施され、裏面に編み生地または織り生地が施されたフードであって、前記縫着部から浸入した水を有孔生地に形成された孔を回避するよう上方から下方へ誘導する誘導部材が、有孔生地の端部に沿って設けられ、前記誘導部材は、縫着部と有孔生地との間を繋ぐ繋ぎ生地から構成され、該繋ぎ生地は、一端部が前記縫着部に重ねて縫着され、他端部に縫着部側に突出するよう生地が重ねられて、該他端部が有孔生地の縁部に沿って縫着されることで、有孔生地の縁部側で水の誘導路を形成するよう構成されていることを特徴としている。
【０００８】
上記構成のフードによれば、雨天時等において、縫着部からフラシの内側に浸入した水は、誘導部材によって有孔生地の端部に沿って誘導されるから、有孔生地に形成された孔からフード本体の内側に浸入するのが抑えられ、快適な装着感が維持される。上記構成のフードによれば、雨天時等において、縫着部からフラシの内側に浸入した水は、繋ぎ生地によって形成された誘導路に沿って誘導されるから、有孔生地に形成された孔からフード本体の内側に浸入するのが抑えられる。なお、他端部に縫着部側に突出するよう重ねられる生地は、繋ぎ生地と別体の生地であってもよいし、繋ぎ生地の端部を折り返すことでも形成することができる。
【０００９】
本発明のフードでは、有孔生地は、使用者が頭部に装着した状態で該使用者の耳に対応する吸音用領域を構成する生地、および使用者が頭部に装着した際の空気逃がし用領域を構成する生地のうちの、少なくとも一方の生地であることを特徴としている。
【００１０】
上記構成によれば、誘導部材によって有孔生地の端部に沿って誘導されるから、吸音用領域を構成する有孔生地の孔、あるいは空気逃がし用領域を構成する有孔生地の孔からフード本体の内側に浸入するのが抑えられ、快適な装着感が維持される。
【００１３】
本発明のフードでは、誘導部材は、縫着部と有孔生地との間を繋ぐ繋ぎ生地と、管状体とから構成され、前記繋ぎ生地は、一端部が前記縫着部に重ねて縫着され、他端部が有孔生地の縁部に沿って縫着され、管状体は繋ぎ生地の他端部側で該繋ぎ生地との間に水の誘導路を形成するよう有孔生地の縁部に沿って設けられていることを特徴としている。
【００１４】
上記構成のフードによれば、雨天時等において、縫着部からフラシの内側に浸入した水は、繋ぎ生地と管状体とで形成される誘導路に沿って誘導されるから、有孔生地に形成された孔からフード本体の内側に浸入するのが抑えられる。
【００１５】
本発明は、前記何れかのフードが備えられている衣服である。この衣服によれば、有孔生地に形成された孔から水が浸入するのが抑制されるから、快適な装着感が維持される。
【発明の効果】
【００１６】
本発明のフードは、使用者が頭部に装着した状態で該使用者の耳に対応する吸音用領域を構成する有孔生地の一部領域がフード本体に縫着部を介して縫着され、縫着部から浸入した水を、有孔生地に形成された孔を回避するよう、上方から下方へ誘導する誘導部材が、有孔生地の端部に沿って設けられているから、雨天時等において、縫着部からフラシの内側に浸入した水は、誘導部材によって有孔生地の端部に沿って誘導され、縫着部分に止水テープが貼れなくても、有孔生地に形成された孔からフード本体の内側に浸入するのが抑えられる。
【図面の簡単な説明】
【００１７】
【図１】本発明の第一の実施形態を示すフードの側部どうしをずらせて合わせた状態での側面図
【図２】同じくフードの前部を表側に裏返した状態でのやや前方からの斜視図
【図３】同じくフラシを開いた状態の下方からの斜視図
【図４】同じく前部と後部とを合わせて偏平にした状態での後部からの平面図
【図５】同じく要部断面図で、図３におけるＹ−Ｙ線断面矢視図
【図６】本発明の第二の実施形態を示す要部断面図で、図５に相当する図
【図７】本発明の別の実施形態を示す要部断面線形図で、図５に相当する図
【発明を実施するための形態】
【００１８】
以下、本発明の実施形態に係るフードを図面に基づいて説明する。図１はフードの側部どうしをずらせて合わせた状態での側面図、図２はフードの前部を表側に裏返した状態でのやや前方からの斜視図、図３はフラシを開いた状態の下方からの斜視図、図４は前部と後部とを合わせて偏平にした状態での後部からの平面図、図５は要部断面図で、図３におけるＹ−Ｙ線断面矢視図である。
【００１９】
図１ないし図４に示すように、フード１は、フード本体２と、フラシ３Ａ，３Ｂとを備えている。
フード本体２とフラシ３Ａを構成するパーツ生地は同一の素材であり、該パーツ生地は表面地４ａに水浸入防止処理である防水加工あるいは撥水加工が施され、裏面地４ｂは編み生地（例えばトリコット）または織り生地からなり、表面地４ａと裏面地４ｂとの間に、透湿防滴性フィルムとして例えばゴアテックス（登録商標）が挟持され、これらを一体化して構成されている。
以下にフード１（フード本体２とフラシ３Ａ）を構成する複数枚のパーツ生地を述べるが、これらのパーツ生地はフード１の表側に水浸入防止処理がなされた表面地４ａがフード１の表側になるよう、また、裏面地４ｂが使用者の頭部側、すなわち裏側になるよう用いられる。
【００２０】
フード本体２は、着用者の頭部を後方から上方および側方に亘って覆うもので、装着時には頭部の前方のうち、少なくとも視界を妨げないよう開放された形状になるよう、複数枚の前記パーツ生地を縫着することにより構成されている。
具体的に前記パーツ生地は第一生地１１ないし第六生地１６の六種類の生地から構成されている。
第一生地１１は、使用者のフード１の装着状態において、後側の下部にあって使用者の後頸部を被覆する。第二生地１２は第一生地１１の上方にあって使用者の後頭部を被覆する。第三生地１３は、第二生地１２の上前方にあって使用者の頂部を被覆する。第四生地１４は、第一生地１１の前方にあって使用者の頸横部を被覆する。第五生地１５は、第三生地１３と第四生地１４の間にあって、使用者の頭側部を被覆する。第六生地１６は、使用者の耳部分を側方で覆う。
そして、隣合うパーツ生地どうしは、縫着部２０によって一体化されている。
【００２１】
但し、第一生地１１ないし第六生地１６のうち、第四生地１４ないし第六生地１６はそれぞれ左右一対で設けられており、特に、第四生地１４は顎を前方で覆う顎当部を構成するもので、使用者の顎の前で端部どうしが面ファスナ５等の着脱手段によって着脱されるよう構成されている。
また第一生地１１および第四生地１４は、レインスーツなどの衣服６の襟首部７に、例えばドット釦８などの着脱手段により着脱自在に取付けられる。
【００２２】
第六生地１６は有孔生地に相当し、側面視して略三角形に形成されている。この第六生地１６には、使用者が吸音し易いように複数の吸音孔１６ａが穿設されている。また第二生地１２も有孔生地に相当し、背面視して略四角形に形成されている。この第二生地１２は空気逃がし用領域を構成する生地に相当する。第二生地１２には、フード１内に侵入した空気（例えば風）を外部へ排出する複数の排気用孔（空気逃がし用孔）１２ａが穿設されている。
【００２３】
フラシ３Ａは左右の第六生地１６をそれぞれその表側でほぼ全域を覆うよう、フード本体２に縫着されている。しがたって、フラシ３Ａは第六生地１６とほぼ同形状に形成されている。但しフラシ３Ａ（フラシ３Ａを構成するパーツ生地）の下端辺部３ａ（一辺部）は、フード本体２には縫着されておらず、これによりフード本体２に対して隙間１０を形成し得て、この隙間１０から周囲の音が吸音孔１６ａに吸音され易いようになっている。
他の辺部３ｂ，３ｃがフード本体２の第一生地１１、第二生地１２、第五生地１５の縁部どうしに、縫着部２１，２２によって縫着されている。
【００２４】
各パーツ生地の縫着部２０の裏面には、止水テープ２３（シームテープ）が貼着されている。縫着部２０の裏面に止水テープ２３が貼着されていることにより、各パーツ生地の縫着部２０から、雨水等の水Ｗがフード本体２の裏側に浸入するのを防止している。
各パーツ生地の縫着部２０の裏面に止水テープ２３を貼着できるのは、フード１を構成するパーツ生地の裏面地４ｂが水浸入防止処理を施していない編み生地からなることによる。
【００２５】
ところで、第六生地１６とフラシ３Ａとはともに表面地４ａが表面となるよう重ねられ、フラシ３Ａの二辺部３ｂ，３ｃ（フラシ３Ａの周囲の一部）で、第六生地１６とフラシ３Ａとが互いに縫着部２１，２２によって縫着されている。第六生地１６とフラシ３Ａとの縫着部２１，２２では、第六生地１６の表面地４ａとフラシ３Ａの裏面地４ｂとが縫着された構造となる。
したがって、縫着部２１，２２には、止水テープ２３を貼着することができない。あるいは止水テープ２３を貼着しても第六生地１６からは容易に剥がれてしまい、縫着部２１，２２では止水テープ２３での止水は難しい。
【００２６】
そこでこの実施形態では、図５に示すように、止水テープ２３の代わりとして、縫着部２１，２２の外側から水Ｗが浸入した場合、これが第六生地１６に形成された吸音孔１６ａを回避するよう、上方から下方へ誘導する誘導部材２５を、第六生地１６の端部に沿って設けている。
誘導部材２５を構成する広幅生地２６および狭幅生地２７は、ともにフード本体２を構成する生地と同一の生地が用いられている。
【００２７】
誘導部材２５の配置場所について述べると、誘導部材２５は、フラシ３Ａの内側で、第六生地１６を囲繞する第一生地１１、第二生地１２、第五生地１５の縁部に沿って設けられている。
誘導部材２５の具体的構成について述べる。誘導部材２５は、第六生地１６の前後の縁部１６ｂ，１６ｃに沿うよう上方が尖端となる帯状の広幅生地２６と、広幅生地２６に沿う狭幅生地２７とを組合せた繋ぎ生地から構成されている。
【００２８】
誘導部材２５（広幅生地２６）の幅方向の一方縁部２５ａは、第六生地１６の前部においては、縫着部２１によって、第五生地１５の縁部１５ａとフラシ３Ａの他の辺部３ｂに重ねて縫着されている。
誘導部材２５の幅方向の一方縁部２５ａは、第六生地１６の後部においては、縫着部２２によって、第一生地１１の縁部１１ａ、第二生地１２の縁部１２ｂとフラシ３Ａの他の辺部３ｃに重ねて縫着されている。
【００２９】
誘導部材２５（広幅生地２６）の幅方向の他方縁部２５ｂに対して重ねられ、縫着部２１，２２側へ向けて突出する生地片２５ｃが設けられている。
この生地片２５ｃの幅と狭幅生地２７の幅とはほぼ等しく設定されて、生地片２５ｃの外側に狭幅生地２７が重ねて接着されている。この場合、生地片２５ｃと狭幅生地２７とは、裏面地４ｂどうしが接着されている。
【００３０】
生地片２５ｃ、狭幅生地２７および第六生地１６の縁部１６ｂ，１６ｃが重ねられて、縫着部２８によって一体となるよう縫着されている。
生地片２５ｃと広幅生地２６との間には隙間があって、この隙間が、縫着部２１，２２の外側から浸入した水Ｗを、第六生地１６に形成された吸音孔１６ａを回避するための誘導路３０とされている。
したがって誘導部材２５で形成されるこの誘導路３０も誘導部材２５と同様、側面視して上方が尖端となっている。
縫着部２８の裏側に相当する領域には、これを覆うのに充分な幅を有する止水テープ２３がフード本体２に貼着されている。
【００３１】
さらに、止水テープ２３の代わりとして、縫着部２２、フラシ３Ｂと第三生地１３の縫着部２４の外側から水Ｗが浸入した場合、これが第二生地１２に形成された排気用孔１２ａを回避するよう、上方から下方へ誘導する誘導部材２９を、第二生地１２の端部に沿って設けている。
この誘導部材２９の構成は、図５を用いて述べた構成と同様であって、誘導部材２９を縫着する生地が異なる。すなわち、誘導部材２９は、第二生地１２と第二生地１２の両側に配置される第六生地１６との間、第二生地１２と第三生地１３との間に連続するよう設けられている。
また、誘導部材２５が第六生地１６の前後の縁部１６ｂ，１６ｃに沿って上方が尖端となるよう構成しているのに対して、誘導部材２９は第二生地１２の上端辺部および左右端辺部に沿うよう、背面視して下方が開放されたコ字形となるよう設けられている。
【００３２】
上記構成において、縫着部２８に相当する、フード本体２の裏側には、止水テープ２３が貼着されているから、縫着部２８があったとしても、止水テープ２３によって雨水等の水Ｗの浸入は防止することができる。
しかしながら、縫着部２１，２２については、縫着部２１，２２によって重ねられているパーツ生地の間から、フラシ３Ａの内側（第六生地１６の表面）に水Ｗが浸入することが考えられる。
【００３３】
しかしながら、縫着部２１，２２と第六生地１６の間には、表面地４ａを表側として縫着部２１，２２から第六生地１６の縁部１６ｂ，１６ｃに至る誘導部材２５が設けられていて、誘導部材２５によって第六生地１６に形成された吸音孔１６ａを回避するための誘導路３０が形成されている。
したがって、縫着部２１，２２から浸入した水Ｗは誘導路３０によって堰き止められて、第六生地１６側へ移動するのを抑制され、誘導路３０は、吸音孔１６ａを回避するよう、第六生地１６の前後の縁部１６ｂ，１６ｃに沿って上方が尖端となっているから、誘導路３０に浸入した水Ｗは、前後に振分けられるようにして、下方へ誘導される。
このため、第六生地１６の吸音孔１６ａに至らず、したがって水Ｗが吸音孔１６ａから浸入することが防止できる。
【００３４】
また、誘導部材２９では、これを第二生地１２の端部に沿って、第二生地１２の上端辺部および左右端辺部に沿うよう、背面視して下方が開放されたコ字形となるよう設けている。
このため、縫着部２４および縫着部２２から浸入した水Ｗを誘導部材２９（誘導路）に沿って下方に誘導して、排気用孔１２ａから水Ｗが第二生地１２の内側に入り込むのを抑制している。
【００３５】
次に本発明の第二の実施形態を、図６に基づいて説明する。図６は本発明の第二の実施形態を示す要部断面図で、図５に相当する図である。なお図１ないし図５で説明した第一の実施形態と同様の機能を有する構成部品については同一の符号を付して、その説明を省略する。
第二の実施形態が第一の実施形態と異なる構成は、誘導部材３５の構成である。第二の実施形態において、誘導部材３５は、広幅生地２６と、管状体３６とから構成されている。誘導部材３５は第六生地１６の前後の縁部１６ｂ，１６ｃに沿って上方が尖端となるよう設けられている。
【００３６】
管状体３６の具体的構成は、合成樹脂製の小径のパイプ３７と、表面に防水処理や撥水処理が施された取付生地３８とからなり、パイプ３７が取付生地３８で覆われている。
取付生地３８は、パイプ３７を覆う部分と、縫着部２８で第六生地１６の前後の縁部１６ｂ，１６ｃと、広幅生地２６の幅方向の他方縁部２５ｂに挟持されて縫着される被縫着片３９とから構成されている。
そして、広幅生地２６と管状体３６（特に被縫着片３９）との間には隙間があって、この隙間が、縫着部２１，２２の外側から浸入した水Ｗを、第六生地１６に形成された吸音孔１６ａを回避するための誘導路３０とされている。他の構成は上記第一の実施形態と同様である。
【００３７】
本発明の第二の実施形態によれば、縫着部２１，２２から浸入した水Ｗは誘導路３０によって堰き止められて、第六生地１６側へ移動するのを抑制され、誘導路３０は、吸音孔１６ａを回避するよう、第六生地１６の前後の縁部１６ｂ，１６ｃに沿って上方が尖端となっている。
このため、誘導路３０に浸入した水Ｗは、前後に振分けられるようにして、下方へ誘導され、第六生地１６の吸音孔１６ａに至らず、したがって水Ｗが吸音孔１６ａから浸入することを防止できる。
【００３８】
本発明は実施形態に限定されず、本発明の主旨を逸脱しない範囲で種々変形が可能である。例えば、上記各実施形態では、誘導部材２５として広幅生地２６、あるいは狭幅生地２７は、パーツ生地とは別に設けた生地を、第一生地１１、第二生地１２、第五生地１５等に縫着した構成とした。
しかしながら、図７の別の実施形態に示すように、パーツ生地とは別生地とはせずに、第一生地１１、第二生地１２、第五生地１５等を延長して広幅生地２６の代替とし、その縁部（先端部）１５ａ，１２ｂ，１１ａを折返すことで狭幅生地２７の代替としてしかも誘導路３０（誘導部材２５）を形成するようにすることもできる。
【符号の説明】
【００３９】
１…フード、２…フード本体、３Ａ，３Ｂ…フラシ、４ａ…表面地、４ｂ…裏面地、６…衣服、１０…隙間、１１…第一生地、１２…第二生地、１２ａ…排気用孔、１３…第三生地、１４…第四生地、１５…第五生地、１６…第六生地、２０，２１，２４，２２，２８…縫着部、２３…止水テープ、２５，２９，３５…誘導部材、２５ｃ…生地片、２６…広幅生地、２７…狭幅生地、３０…誘導路、３６…管状体、３７…パイプ、Ｗ…水
【図１】
0005564272.tif 000002
【図２】
0005564272.tif 000003
【図３】
0005564272.tif 000004
【図４】
0005564272.tif 000005
【図５】
0005564272.tif 000006
【図６】
0005564272.tif 000007
【図７】
0005564272.tif 000008